(57)【要約】【課題】  本発明は、簡略な構成で作業性がよく、メンテナンス時における作業員の出入りを可能とする人通孔を備えた二重ピットを有する構造物の基礎構造を提供する。【解決手段】  構造物１の基礎構造は、上部構造体の柱各々に接合し上部構造体を支持する複数の杭体を備える杭基礎と、外周柱４どうしの脚部を連結する外周梁１０、内部柱５どうし又は内部柱５と外周柱４どうしの脚部を連結する内部梁１１を備える地中梁９とを有する。地中梁９の直上には床スラブ２ａ、梁下には捨てコンクリート１３が打設され、外周梁１０に囲われた領域に二重ピット１２が形成される。二重ピット１２は、内部梁１１によりその領域を複数に分割されるものの、梁成が外周梁１０と比較して小さく、また上端面を外周梁１０と同一水平レベルに配置されるから、捨てコンクリート１３との間に梁下空間１１ｂが形成され、これを人通孔及び設備配管ルートとして利用できる。【選択図】  図３
2005155092.tif 000002
【特許請求の範囲】
【請求項１】
柱と床スラブを備える上部構造体を支持する杭基礎と、
該杭基礎を構成する複数の杭体各々に接合している前記柱の隣り合う脚部どうしに架け渡す地中梁を備え、
前記地中梁の直上に位置する前記床スラブと前記地中梁とにより囲われる領域に、二重ピットを有する構造物の基礎構造であって、
前記柱が、上部構造体の外周縁に沿うよう配置される複数の外周柱と、上部構造体の内方に位置する複数の内部柱を備えるとともに、
前記地中梁が、隣り合う外周柱の脚部どうしに架け渡される外周梁と、隣り合う内部柱の脚部どうし及び隣り合う内部柱と外周柱の脚部どうしに架け渡される内部梁とにより構成され、
前記内部梁は、前記外周梁と比較して梁成が小さく、上端面が前記外周梁と同一水平レベルに位置することを特徴とする構造物の基礎構造。
【請求項２】
請求項１に記載の構造物の基礎構造において、
前記内部梁の外周柱との当接端部に、垂直ハンチが設けられることを特徴とする構造物の基礎構造。
【発明の詳細な説明】
【技術分野】
【０００１】
本発明は、構造物の基礎構造に関する。
【背景技術】
【０００２】
従来より、病院のような水廻り機能を多数備える構造物や大容量の雨水貯留装置を必要とする構造物、また屋内に駐車場を有する構造物等には、例えば、特許文献１に示すように、上部構造体の直下に位置する領域に二重ピットを構築し、該二重ピット内に各々構造物毎で水廻り機能や通気機能、雨水貯水槽等の必要な設備を設置する場合が多い。
該二重ピットは、一般に、上部構造体の床スラブと基礎床版との間に形成され、前記上部構造体の柱脚部どうしを架け渡すように配置された地中梁の梁成を調整することにより、二重ピットとして必要な有効高さを確保している。
【特許文献１】特開平８−３２０１４２号公報（図１参照）
【０００３】
このような二重ピットは、スパン毎で前記地中梁によって空間が分割される構成となるから、二重ピット内のメンテナンスを考慮すると、分割された全ての空間に作業員の出入りを可能とするための人通孔を構築する必要がある。このため、人通孔として地中梁に作業員が通過できる程度の貫通孔を設ける方法や、地中梁の下にトンネルを築造する方法等が採用されている。
【発明の開示】
【発明が解決しようとする課題】
【０００４】
しかし、上述するような地中梁に貫通孔を設ける構成は、地中梁の貫通孔を形成する位置に梁貫通補強筋を配置する必要があり、地中梁の構築が煩雑になるとともに工費が増大する。また、構造条件上は地中梁の梁成を小さくできるにもかかわらず、二重ピットとしての有効高さや貫通孔に人通孔としての有効高さを確保するために梁成を大きく取る等の無駄が生じていた。
一方、地中梁の下にトンネルを設ける構成では、トンネルの築造が煩雑で工費の増大及び工期の長期化を招くだけでなく、トンネル内に水がたまりやすいことからトンネル自身のメンテナンスも必要となる等、様々な課題を生じている。
【０００５】
上記事情に鑑み、本発明は、簡略な構成で作業性がよく、またメンテナンス時における作業員の出入りを可能とする人通孔を備えた二重ピットを有する構造物の基礎構造を提供することを目的としている。
【課題を解決するための手段】
【０００６】
請求項１記載の構造物の基礎構造は、柱と床スラブを備える上部構造体を支持する杭基礎と、該杭基礎を構成する複数の杭体各々に接合している前記柱の隣り合う脚部どうしに架け渡す地中梁を備え、前記地中梁の直上に位置する前記床スラブと前記地中梁とにより囲われる領域に、二重ピットを有する構造物の基礎構造であって、前記柱が、上部構造体の外周縁に沿うよう配置される複数の外周柱と、上部構造体の内方に位置する複数の内部柱を備えるとともに、前記地中梁が、隣り合う外周柱の脚部どうしに架け渡される外周梁と、隣り合う内部柱の脚部どうし及び隣り合う内部柱と外周柱の脚部どうしに架け渡される内部梁とにより構成され、前記内部梁は、前記外周梁と比較して梁成が小さく、上端面が前記外周梁と同一水平レベルに位置することを特徴としている。
【０００７】
請求項２記載の構造物の基礎構造は、前記内部梁の外周柱との当接端部に、垂直ハンチが設けられることを特徴としている。
【発明の効果】
【０００８】
請求項１記載の構造物の基礎構造によれば、前記外周梁の梁成は前記二重ピットに必要な有効高さに応じて決定されるものの、二重ピット内に位置する内部梁の梁成は、構造条件に応じた梁成に設定できるため、二重ピットを有する構造物の基礎構造を合理的な構成とすることが可能となる。
【０００９】
また、外周梁と比較して内部梁の梁成が小さく、両者の上端面は同一水平レベルに配置されることから、内部梁の下端面と基礎底面との間に梁下空間が形成されるため、内部梁により分割された二重ピットの複数の領域は連通される。したがって、外周梁と内部梁の梁成に、メンテナンス時における作業員の出入りを可能とする高さと同程度の差異を設けておくことにより、これを人通孔として利活用することが可能となる。
これに伴い、人通孔を備えるための新たな構成の付加を不要とできるため、従来より地中梁に設けていた貫通孔を形成するための梁貫通補強筋の配設も不要となり、工費削減、工期短縮に大きく寄与することが可能となる。
また、人通孔によることなく、二重ピットに必要な有効高さに応じた地盤掘削を実施すればよいため、生産効率が良く、工費削減及び工期短縮に大きく寄与することが可能となる。
【００１０】
さらに、前記梁下空間は、人通孔として利用できるだけでなく、設備配管ルートに利用できるものであり、梁下空間に設備配管を通した場合、梁貫通補強が不要で設備配管のピッチ・位置に制限がないため、コストダウン・生産性の向上を図ることが可能となる。
【００１１】
請求項２に記載の構造物の基礎構造によれば、前記内部梁は、外周柱と当接する端部に垂直ハンチを備えることから、内部梁と外周柱との取り合い部に大きな応力が生じた場合にも破損することは無く、安全な基礎構造を提供することが可能となる。
【発明を実施するための最良の形態】
【００１２】
本発明の構造物の基礎構造を図１から図３に示す。本発明は、杭基礎と地中梁を備える構造物の基礎構造であって、杭基礎に支持される上部構造体の柱の隣り合う脚部どうしに架け渡される地中梁と、該地中梁の直上に位置する上部構造体の床スラブにより囲われる領域に二重ピットを構成するとともに、前記地中梁のうち構造物の外周縁に沿って配置される外周梁と比較して、構造物の内領域に配置される内部梁の梁成を小さく取ることにより、内部梁の下端面と基礎底面との間に空間を形成し、これを人通孔として利用するものである。
【００１３】
図１に示すように、構造物１は、複数の柱３と床スラブ２ａを備える上部構造体２と、これを支持する基礎構造６により構成されており、該基礎構造６は、杭基礎７と地中梁９とを備えている。
該杭基礎７は、図示しない地盤中の支持層に杭先端を支持された状態で鉛直状に立設された複数の杭体８により構成されており、該杭体８は、上部構造体２の外周縁に沿うように所定の離間間隔をもって複数配置されているとともに、上部構造体２の内領域にも同じ離間間隔をもって複数が配置されている。
本実施の形態において、杭体８には場所打ちコンクリート杭を用いているが、必ずしもこれにこだわるものではなく、上部構造体２を支持できる構成であれば鋼管杭やＰＣ杭等何れの種類の杭を用いても良い。
【００１４】
該杭基礎７を構成する複数の杭体８各々の頭部には、前記上部構造体２を構成する柱３が杭体８と鉛直方向で同軸状に配置されており、柱脚部と杭頭部とをコンクリート１４で根巻きされることにより両者は剛に接合されている。なお、該柱３のうち上部構造体２の外周縁に沿うように配置されている前記外周柱４は、前記杭体８と鉛直方向に同軸ではなく偏心させた状態でコンクリート１４に根巻きされ剛に接合されている。
【００１５】
また、前記地中梁９は、隣り合う前記柱３の脚部どうしを架け渡すように水平に配置されている。該地中梁９は、図２に示すように、隣り合う外周柱４の脚部どうしを連結する外周梁１０、前記柱３のうち上部構造体２の内領域に配置されている隣り合う内部柱５どうしまたは隣り合う内部柱５と外周柱４の脚部どうしを連結する内部梁１１により構成されている。つまり、前記外周梁１０は、図２に示すように、平面視で前記構造物１の構築領域を囲うように配置されており、前記内部梁１１は、平面視で前記外周梁１０に囲われた構造物１の内領域を複数に分割するように配置されることとなる。
【００１６】
ところで、前記内部梁１１は、図１に示すように、梁成が外周梁１０と比較して小さく形成されており、また、上端面が前記外周梁１０と同一水平レベルとなる高さ位置に配置されている。なお、該内部梁１１の梁成は、前記外周梁１０と比較して小さく、かつ少なくとも構造条件を満たす高さを確保していれば、何れの大きさに成形しても良い。
また、該内部梁１１の前記外周柱４と当接する端部には、垂直ハンチ１１ａが設けられている。これは、前記外周柱４と内部梁１１との取り合い部に大きな応力が生じやすいことを考慮したものであり、その高さは構造条件を満たすよう形成されている。
【００１７】
このような構成よりなる構造物１は、前記上部構造体２に床スラブ２ａが備えられているとともに、基礎構造６を構成する地中梁９の梁下で、前記杭体の頭部近傍と同様の水平レベルに位置する基礎底面には捨てコンクリート１３が打設されている。これにより、構造物１の基礎構造６には、前記外周梁１０、地中梁９の直上に位置する床スラブ２ａ、及び梁下に位置する捨てコンクリート１３により囲まれた空間に、図３に示すように、二重ピット１２が形成されることとなる。
【００１８】
該二重ピット１２は、図３に示すように、前記内部梁１１によりスパン毎でその領域を複数に分割されるものの、前述したように、内部梁１１がその梁成を外周梁１０と比較して小さく形成され、また上端面を前記外周梁１０と同一水平レベルとなるように配置されている。つまり、該内部梁１１の下端面と捨てコンクリート１３との間に梁下空間１１ｂが形成されており、これらは連通している。
したがって、該梁下空間１１ｂに作業員が通過できる程度の有効高さを確保することにより、これを人通孔として利用することができるものである。
【００１９】
なお、該梁下空間１１ｂは、前記外周梁１０と内部梁１１との梁成の差異により形成されるものであるから、梁下空間１１ｂを人通孔として利用する場合にはこの差異を作業員が通過できる程度の高さに調整すればよい。
また、前記二重ピット１２自身の有効高さは、外周梁１０の梁成を調整することにより必要高さを確保できるものである。
【００２０】
上述する構成によれば、前記構造物１の基礎構造６は、前記外周梁１０の梁成が前記二重ピット１２に必要な有効高さに応じて決定されるものの、二重ピット１２内に位置する内部梁１１の梁成は、構造条件に応じた梁成に設定できるため、二重ピット１２を有する構造物１の基礎構造６を合理的な構成とすることが可能となる。
【００２１】
また、外周梁１０と比較して内部梁１１の梁成が小さく、両者の上端面は同一水平レベルに配置されることから、内部梁１１の下端面と基礎底面に打設された捨てコンクリート１３との間に梁下空間１１ｂが形成されるため、内部梁１１により分割された二重ピットの複数の領域は連通される。したがって、外周梁１０と内部梁１１の梁成に、メンテナンス時における作業員の出入りを可能とする高さと同程度の差異を設けておくことにより、これを人通孔として利活用することが可能となる。
【００２２】
これに伴い、人通孔を備えるための新たな構成の付加を不要とできるため、従来より地中梁９に設けていた貫通孔を形成するための梁貫通補強筋の配設も不要となり、工費削減、工期短縮に大きく寄与することが可能となる。
また、人通孔によることなく、二重ピット１２に必要な有効高さに応じた地盤掘削を実施すればよいため、生産効率が良く、工費削減及び工期短縮に大きく寄与することが可能となる。
【００２３】
さらに、前記梁下空間１１ｂは、人通孔として利用できるだけでなく、設備配管ルートに利用できるものであり、該梁下空間１１ｂに設備配管を通した場合、梁貫通補強が不要で設備配管のピッチ・位置に制限がないため、コストダウン・生産性の向上を図ることが可能となる。
【００２４】
さらに、前記内部梁１１は、外周柱４と当接する端部に垂直ハンチ１１ａを備えることから、内部梁１１と外周梁１０との取り合い部に大きな応力が生じた場合にも破損することは無く、安全な基礎構造を提供することが可能となる。
【図面の簡単な説明】
【００２５】
【図１】本発明に係るの構造物の基礎構造における側面を示す図である。
【図２】本発明に係るの構造物の基礎構造における平面を示す図である。
【図３】本発明に係るの構造物の基礎構造における斜視を示す図である。
【符号の説明】
【００２６】
１  構造物
２  上部構造体
３  柱
４  外周柱
５  内部柱
６  基礎構造
７  杭基礎
８  杭体
９  地中梁
１０  外周梁
１１  内部梁
１２  二重ピット
１３  捨てコンクリート
１４  コンクリート
【図１】
2005155092.tif 000003
【図２】
2005155092.tif 000004
【図３】
2005155092.tif 000005